(57)【特許請求の範囲】
【請求項１】
寝台に載置された被検体が挿入される略円形状の撮影口を有し、この撮影口に挿入された被検体を撮影するＸ線ＣＴ装置において、
Ｘ線管とＸ線検出器が前記撮影口を挟んで対向して配置された回転ベースと、前記回転ベースの外周付近において前記回転ベースを直接的に回転駆動するダイレクト・ドライブモータが配置された固定ベースが、略円形の外周形状を有する筐体に収納された回転部と、
前記回転部とは分離して設けられ、増幅回路、電源回路、通電遮断回路又は前記Ｘ線管からのＸ線の線量の制御を行う制御回路の少なくとも一つが、前記回転部の下部において、前記回転部の略円形状の外周形状に対応した形状を有する筐体に収納された固定部とを有することを特徴とするＸ線ＣＴ装置。
【請求項２】
前記所定の電装部品は、防磁部材によって形成されたボックスに収納され一括して設けられていることを特徴とする請求項１に記載のＸ線ＣＴ装置。
【請求項３】
前記固定部は、前記回転部を所定角度分傾き駆動するチルト駆動手段を更に収納することを特徴とする請求項１に記載のＸ線ＣＴ装置。
【請求項４】
前記回転部の外周部には、該回転部内に外気を導入するための外気導入手段、及び該回転部内に導入された外気を回転部外に排気する第１の排気手段が設けられていることを特徴とする請求項１記載のＸ線ＣＴ装置。
【請求項５】
前記回転部は、前記固定ベースと前記回転ベース間の電源供給を介するスリップリングを有し、前記回転ベースは、前記固定ベースに対して複数回転連続して回転可能に構成されることを特徴とする請求項１に記載のＸ線ＣＴ装置。
【発明の詳細な説明】
【技術分野】
【０００１】
本発明は、Ｘ線ＣＴ装置に関し、架台の両肩部に設けられていた制御基板や電源回路等の実装部品を架台の下部に集中して設けることにより、電源線及び信号線の分離、短縮化を通じてノイズ対策を可能とし、また、回転部の両肩部を削り丸みを帯びた形状とすることにより、装置自体の小型軽量化等を図ったＸ線ＣＴ装置に関する。
【背景技術】
【０００２】
従来、いわゆるヘリカルスキャンタイプのＸ線ＣＴ装置が知られている。このＸ線ＣＴ装置は、図１０に示すように箱型形状の架台１００を有している。この架台１００の中心部には、図示しない寝台に載置された患者が挿入される撮影口１０１が設けられている。この撮影口１０１の外周部は、それぞれ相対向するように設けられたＸ線管及びＸ線検出器と、電源処理用及び信号処理用の部品の一部とが該外周部に沿って回転する回転部１０２となっており、撮影口１０１に挿入された患者に対して、これらが回転しながらＸ線を曝射することで、患者の所望の部位の断層像を撮影するようになっている。また、この架台１００の底面部１００ａには吸気口１０３が設けられ、上面部１００ｂにはこの吸気口１０３から吸気され回転部１０２内を循環した空気を排気するための冷却ファン１０４が設けられており、撮影等により発熱したＸ線管や電源回路等をこの循環する空気により冷却するようになっている。
【０００３】
架台１００の内部構成は図１１（ａ）、（ｂ）に示すようになっており、このうち回転部１０２は、回転ベース１１０にＸ線管、Ｘ線検出器及び高圧発生部が実装され構成されている。この回転ベース１１０は、ベアリング１１１を介して固定ベース１１２に設けられている。
【０００４】
固定ベース１１２には、回転部１０２を回転させるための駆動モータ１１３と、Ｘ線の線量やその他の制御等を行うための基板や電源回路等の電装部品１１４ａ〜１１４ｃが設けられている。駆動モータ１０４は、重量物であるため架台１００の下部に設けられ、電装部品１１４ａ、１１４ｂは、架台１００の両肩部分に、電装部品１１４ｃは、架台１００の下部にそれぞれ設けられている。このため、電装部品１１４ａ、１１４ｂが、架台１００の両肩部分に設けられることから、架台１００全体を覆うカバー１１７の形状は、必然的に箱型形状となる。
【０００５】
これら固定ベース１１２、駆動モータ１１３、電装部品１１４ａ〜１１４ｃにより固定部を形成している。この固定部は、スタンド１１５により、チルト回転支持部１１６を介して所定角度分の傾きが可能なように支持されている。これにより、チルト回転支持部１１６を支点として架台１００全体が所定角度分チルトし、この状態での撮影が可能となっている。
【０００６】
次に、このような架台１００を配線面から見ると、図１１（ｂ）に示すように電源線１２０は、架台１００の裏面側を介して配線されるようになっている。これは、架台１００の前面側には、被検体を載置する図示しない寝台が設けられているためである。この電源線１２０は、スタンド１１５に設けられた各種ブレーカや電気フィルタ等を介して回転部１０１や固定部の両肩部及び下部に設けられている電装部品１１４ａ〜１１４ｃに接続されており、これら各部に電源を供給するようになっている。なお、回転部１１０には、いわゆるスリップリングを介して、高圧発生部やＸ線検出器等に電源が供給されるようになっている。
【０００７】
次に、コンソールユニット等からの各種の制御信号を伝送する信号線１２１は、前記電源線１２０と同様に、架台１００の裏面側を介して配線されるようになっており、図１１（ａ）に示すように電源線１２０に併走するかたちで配線されている。この信号線１２１は、前記電装部品１１４ａ〜１１４ｃに接続される。さらに、この電装部品１１４ａ〜１１４ｃで処理された信号を供給するための信号線１２１は、駆動モータ１１３を制御する信号線や、寝台、Ｘ線系を制御する信号線とにそれぞれ分けられ配線されている。なお、Ｘ線検出器で形成された撮影信号は、回転部１０２及び固定部にそれぞれ設けられた光電装部を介してコンソールユニットに伝送されるようになっている。
【発明の概要】
【発明が解決しようとする課題】
【０００８】
ここで、近年においては、Ｘ線ＣＴ装置をはじめ他の医用機器も性能が向上し、これに伴い使用方法も多岐にわたっている。さらに情報化社会を迎え医用機器にも移動電話等の電子機器が適用されつつある。このため、各機器から発生する電波やノイズにより、医用機器が誤動作する問題も発生している。特に医用機器の場合は人命に拘わるものが多いため、ノイズの発生や誤動作を強力に防止する必要がある。
【０００９】
しかし、従来のＸ線ＣＴ装置は、架台１００のチルト動作を可能とするために、電源線１２０及び信号線１２１を、スタンド１１５及びチルト回転支持部１１０を介して各部に配線する必要があるため、該配線長が長くなる問題があった。この電源線１２０及び信号線１２１等の配線は、アンテナの代わりとなることがあり、内外の不要な電波やノイズを拾うことがある。このため、配線長が長くなると、電波やノイズを拾う範囲が広がることとなるため好ましいことではない。特に、電気機器に関する国際的な規格であるＩＥＣ規格（ＩＥＣ：Ｉｎｔｅｒｎａｔｉｏｎａｌｅ  Ｅｌｅｃｔｒｏｔｅｃｈｕｎｉｃａｌ  Ｃｏｍｉｓｓｉｏｎ）においては、この電磁ノイズに関する厳格な規格が設けられており、この規格に対処するには強力な電磁ノイズ対策を必要とする。
【００１０】
また、従来のＸ線ＣＴ装置は、電装部品１１４ａ〜１１４ｃが、架台１００内の上下左右に分散して設けられていたため、電磁ノイズ対策が施し難く、組立行程が複雑化するうえ、電装部品１１４ａ〜１１４ｃ用の設置スペースを必要とする問題があった。このため、架台１００が箱形形状となり装置自体が大型化するうえ、この大きさから被検体である患者に威圧感を与えると共に、病院側では、当該Ｘ線ＣＴ装置の設置スペースに不安を抱かせる問題があった。
【００１１】
一方、従来のＸ線ＣＴ装置は、例えば角度を付けた斜めスキャン等で撮影を行う際には、図１２に示すように架台１００全体がチルト駆動されるため、寝台１３０に載置された患者の位置決めや、穿刺等の作業の際に、角度付けで前面に突き出した架台１００の下端部分が操作者の邪魔になり該作業の障害となる問題があった。
【００１２】
本発明は上述の課題の鑑みてなされたものであり、強力に電磁ノイズ対策を図ることができ、装置自体を小型化することができるうえ、架台のチルト駆動により、前面側に突き出した架台が操作者の作業の邪魔になる不都合を防止することができるようなＸ線ＣＴ装置の提供を目的とする。
【課題を解決するための手段】
【００１３】
本発明は、  寝台に載置された被検体が挿入される略円形状の撮影口を有し、この撮影口に挿入された被検体を撮影するＸ線ＣＴ装置において、Ｘ線管とＸ線検出器が前記撮影口を挟んで対向して配置された回転ベースと、前記回転ベースの外周付近において前記回転ベースを直接的に回転駆動するダイレクト・ドライブモータが配置された固定ベースが、略円形の外周形状を有する筐体に収納された回転部と、前記回転部とは分離して設けられ、増幅回路、電源回路、通電遮断回路又は前記Ｘ線管からのＸ線の線量の制御を行う制御回路の少なくとも一つが、前記回転部の下部において、前記回転部の略円形状の外周形状に対応した形状を有する筐体に収納された固定部とを有することを上述の課題を解決するための手段としている。
【発明の効果】
【００１４】
本発明に係るＸ線ＣＴ装置は、装置自体の小型化を図ることができる。
【図面の簡単な説明】
【００１６】
【図１】本発明の第１の実施の形態のＸ線ＣＴ装置の断面図である。
【図２】前記第１の実施の形態のＸ線ＣＴ装置の斜視図である。
【図３】前記第１の実施の形態のＸ線ＣＴ装置のチルト動作を説明するための図である。
【図４】前記第１の実施の形態のＸ線ＣＴ装置の空冷機能を説明するための図である。
【図５】本発明の第２の実施の形態のＸ線ＣＴ装置の断面図である。
【図６】本発明の第３の実施の形態のＸ線ＣＴ装置の断面図である。
【図７】前記第３の実施の形態のＸ線ＣＴ装置の空冷機能を説明するための図である。
【図８】前記第３の実施の形態のＸ線ＣＴ装置の空冷機能の変形例を説明するための図である。
【図９】前記第３の実施の形態のＸ線ＣＴ装置の架台のチルト動作が操作者の操作の邪魔にならない様子を示す図である。
【図１０】従来のＸ線ＣＴ装置の斜視図である。
【図１１】従来のＸ線ＣＴ装置の断面図である。
【図１２】従来のＸ線ＣＴ装置の架台のチルト動作が操作者の操作の邪魔になる様子を示す図である。
【発明を実施するための形態】
【００１７】
以下、本発明に係るＸ線ＣＴ装置の好ましい実施の形態について、図面を参照しながら詳細に説明する。
【００１８】
［第１の実施の形態］
まず、図１（ａ）、（ｂ）に本発明の第１の実施の形態のＸ線ＣＴ装置の正面断面図及び側面断面図を、図２に当該Ｘ線ＣＴ装置の斜視図をそれぞれ示す。この第１の実施の形態のＸ線ＣＴ装置は、いわゆるヘリカルスキャンタイプのＸ線ＣＴ装置であり、図１（ａ）、（ｂ）に示すように架台１の内部に回転部２及び固定部３を有している。
【００１９】
回転部２は、寝台に載置された患者が挿入される撮影口４を有する回転ベース５にＸ線管、Ｘ線検出器及び高圧発生部を設けることで構成されている。この回転ベース５は、ベアリング６を介して固定ベース７に回転自在に設けられている。固定ベース７の下部には、回転ベルト１３を介して回転部２に動力を伝達する駆動モータ８及び電装部品９が電磁ノイズ対策用の防磁部材により形成されたボックス（防磁ボックス）に収納され一括して設けられている。このため、架台１の両肩部には電装部品９は設けられておらず、ゆえに、架台１のカバー１ａは、この両肩部を削り落とし前記回転ベース５に沿って半円状に形成した丸みを帯びた形状となっている。
【００２０】
具体的には、前記電装部品９は、制御基板、増幅回路系、電源回路、ヒータ等の時間的制御を行うタイマ、当該Ｘ線ＣＴ装置に過電流が流れた際に通電を切断するマグネットコンダクタ、ヒューズ系、ブレーカ、Ｘ線の線量やその他の制御等を行うための制御基板等であり、これらが、架台１の下部に集中して設けられている。
【００２１】
また、固定ベース７には、直径を形成する線を延長するかたちで、両端部にそれぞれ支柱部１４が固着されている。この支柱部１４は、回転部２の所定角度分のチルト動作を可能とするように、チルト回転支持部１７を介してスタンド１０に接続されている。
【００２２】
また、後に説明するが、回転部２の撮影口４には、Ｘ線管、高電圧発生部及び電源回路等の発熱部品を空冷却するための吸気口１１が設けられており、カバー１ａの上面部には、この吸気口１１を介して取り込んだ空気を排気するための排気口となる冷却ファン１２が設けられている。
【００２３】
このようなＸ線ＣＴ装置は、断層像の撮影時となると図２に示す寝台２０上に患者を載置する。寝台２０は、図３（ａ）に示すように所定角度分の起倒制御と共に、所定の速度での送り制御が可能となっている。このため、ヘリカルスキャンによる撮影時には、この患者が載置された寝台２０を所定の速度で送り制御すると共に、回転部２を回転させながらＸ線の曝射を行う。これにより、螺旋状に連続的にＸ線を曝射することができ、所望のヘリカルピッチでの複数の断層像の撮影を行うことができる。また、患者に対してＸ線を垂直に曝射する垂直スキャンのみならず、Ｘ線を斜めに曝射する斜めスキャンも可能となっており、この場合には、図３（ｂ）に示すように架台１を所定角度分チルト制御する。これにより、被検体に対してＸ線を斜めに曝射することができ、斜めの断層像の撮影を行うことができる。
【００２４】
次に、このような架台１を配線面から見ると、図１（ｂ）に示すように電源線１５は、架台１の裏面側を介して配線されるようになっている。これは、架台１の前面側には、図２に示したように被検体を載置する寝台２０が設けられるためである。この電源線１５は、スタンド１０に設けられた各種ブレーカや電気フィルタ等を介して架台１の下部に設けられた電装部品９に接続されると共に、中空状の支柱部１４を介して回転部２の接続されており、この電源線１５を介して各部に電源を供給するようになっている。なお、回転部２には、いわゆるスリップリングを介して、高圧発生部やＸ線検出器等に電源が供給されるようになっている。
【００２５】
コンソールユニット等からの各種の制御信号を伝送する信号線１６は、前記電源線１５と同様に、架台１の裏面側を介して配線されるようになっており、図１（ｂ）に示すように電源線１５に併走するかたちで配線されている。この信号線１６は、図１（ａ）に示すように架台１の下部に設けられた前記電装部品９に接続される。また、この電装部品９に接続された信号線１６は、駆動モータ８を制御する信号線や、寝台２０、Ｘ線系等を制御する信号線１６とに分けられそれぞれ配線される。なお、Ｘ線検出器で形成された撮影信号は、回転部２及び固定部３にそれぞれ設けられた光電装部を介してコンソールユニットに伝送されるようになっている。
【００２６】
従来は、電装部品９箱形形状の架台内の上下左右に分割されたかたちで設けられていたため、電源線及び信号線が複雑の配線され、かつ、長線化していたのであるが、当該実施の形態のＸ線診断装置は、電装部品９を一つ又は二つに纏め、これらを架台１の下部の近い位置に配置しているため、電装部品９をユニット化することができるうえ、電源線１５及び信号線１６を完全に分離したかたちで配線することができる。また、電装部品９が架台１の下部の近い位置に配置されているため、電源線１５及び信号線１６を短くすることができる。従って、この電装部品９をユニット化及び電源線１５及び信号線１６の短線化から、電磁波やノイズを拾う不都合を強力に防止することができる。
【００２７】
また、電装部品９を架台１の下部に設けたことから、架台１の上面部を半円形状の丸みを帯びた形状とすることができ、この分、当該Ｘ線ＣＴ装置の小型軽量化及びローコスト化を図ることができる。このため、回転部２を支持するフレームもそれ程剛性高いものを用いる必要がなく、安価かつ軽量なＸ線ＣＴ装置を提供することができる。また、従来の箱形形状の架台のように、患者に対して威圧感を与えることがなく、安心して検査を受けることを可能とすることができる。また、病院側においては、当該Ｘ線ＣＴ装置が小型であることから、設置スペースに困ることはなく、所望の診察室等に配置することを可能とすることができる。
【００２８】
以上の効果を以下に纏めて示すと、まず、「信頼性」の面からは、制御系の電装部品のほとんどを、架台１の下部に集めることができるため、部品間で複雑に配線されていた電源線１５や信号線１６を少なく、かつ、短くすることができるうえ、電圧降下も極力抑えることができ、信頼性の向上を図ることができる。また信号線１５と電源線１６を完全に分離することができ、ノイズに強くすることができる。さらに、電装部品等を架台１の下部に集中して設けているため、ノイズに対するシールド構造が実現しやすく電磁ノイズ対策を施し易くすることができる。
【００２９】
また、「デザイン」の面からは、Ｘ線ＣＴ装置の架台１の威圧感を無くし被検体である患者が安心して受診できるようにすることができる。また、装置を導入する病院側としては、コンパクトな印象を受け導入し易くすることができる。
【００３０】
また、「コスト」の面からは、電装部品９を架台１の下部に集めることにより、小スペース化を図ることができ、配線量を少なく、かつ、短くすることができることから、コストダウンを図ることができる。さらに、電源線１５や信号線１６の配線を容易なものとすることができ、製作工程の簡略化を図ることができる。
【００３１】
次に、このような第１の実施の形態のＸ線ＣＴ装置には、図１（ａ）及び図２に示すように吸気口１１及び排気口としての冷却ファン１２が設けられている。前述のように、当該Ｘ線ＣＴ装置の電装部品は架台１の下部に集中して設けられているため、この吸気口１１は、撮影口４の下半円部分に位置するように設けられている。また、冷却ファン１２は、架台１の半円上の上面部に設けられている。
【００３２】
このような構成とすると、図４に示すように回転部２の回転が作用して吸気口１１から架台１内に空気が取り込まれると共に、架台１内を循環した空気が、冷却ファン１２を介して架台１外に排気される。これにより、架台１内の電装部品を空冷却することができ、電装部品等の誤動作を防止することができる。
【００３３】
［第２の実施の形態］
次に、本発明の第２の実施の形態のＸ線ＣＴ装置の説明をする。上述の第１の実施の形態のＸ線ＣＴ装置は、駆動モータ８が発生した動力を、回転ベルト１３を介して回転ベース５に伝達する構成のものであったが、この第２の実施の形態のＸ線ＣＴ装置は、いわゆるダイレクト・ドライブモータ（Ｄ・Ｄモータ）により回転ベース５を直接的に回転駆動するようにしたものである。なお、この第２の実施の形態のＸ線ＣＴ装置は、この点のみが第１の実施の形態のＸ線ＣＴ装置と異なるものであるため、以下、この差異の説明のみ行い重複説明を省略することとする。
【００３４】
すなわち、この第２の実施の形態のＸ線ＣＴ装置は、図５（ａ）、（ｂ）に示すように上述の第１の実施の形態のＸ線ＣＴ装置と略々同様の構成を有しているが、同図（ｂ）に示すように回転ベース５及び固定ベース７の間にＤ・Ｄモータ３０が設けられており、このＤ・Ｄモータ３０により、回転ベース５を直接的に回転駆動するようになっている。
【００３５】
これにより、図７（ａ）に示すように架台１の下部の前記駆動モータ８が設けられていた箇所に電装部品９を設けることができ、殆どの電装部品を架台１の下部に集中して設けることができる。このため、電源線１５、信号線１６を確実の分離したうえでさらに短くすることができ、さらなる電磁ノイズ対策を図ることができる。また、回転部２の小型軽量化を図ることができる他、上述の第１の実施の形態のＸ線ＣＴ装置と同じ効果を得ることができる。
【００３６】
［第３の実施の形態］
次に、本発明の第３の実施の形態のＸ線ＣＴ装置の説明をする。上述の第１、
第２の実施の形態のＸ線ＣＴ装置は、回転部２及び固定部３がそれぞれカバー１ａ内に収納されるかたちで設けられており、チルト動作の際は、架台１全体が所定角度分傾くものであったが、この第３の実施の形態のＸ線ＣＴ装置は、分離構成の回転部及び固定部を有し、チルト動作の際は、回転部のみが所定角度分傾くようにしたものである。
【００３７】
すなわち、図６（ａ）、（ｂ）に当該第３の実施の形態のＸ線ＣＴ装置の正面断面図及び側面断面図を、図７（ａ）に当該Ｘ線ＣＴ装置の斜視図をそれぞれ示す。この図６（ａ）、（ｂ）及び図７（ａ）において、当該第３の実施の形態のＸ線ＣＴ装置は、それぞれ分離構成とされた回転部５１及びこれを支持する固定部５２とで架台５０が構成されている。
【００３８】
回転部５１は、寝台に載置された患者が挿入される撮影口５３を有する略円筒形状の回転部カバー５４内に、円板状の固定ベース５５及び回転ベース５６を設けることで構成されている。このため、この回転部５１は、正面から見ると円形状を有するようになっている。
【００３９】
固定ベース５５には、ベアリング５７を介して回転ベース５６が回転自在に設けられており、Ｄ・Ｄモータ５８により回転ベルト等を介すことなく直接的に回転駆動されるようになっている。また、回転ベース５６には、相対向するようにＸ線管、Ｘ線検出器及び高圧発生部等が設けられており、これらが回転しながらＸ線の曝射を行うことでヘリカルスキャン等による撮影が可能となっている。また、固定ベース５５には、直径を形成する線を延長するかたちで、両端部にそれぞれ支柱部５９が固着されている。以下に説明するが、当該回転部５１は、この支柱部５９を介して所定角度分のチルト動作が可能なように固定部５２に支持されている。
【００４０】
固定部５２は、正面が略凹状の固定部カバー６０内にスタンド６１と、このスタンド６１と共に、前記回転部５１をチルト駆動可能に支持するように設けられたチルト回転支持部６２と、制御基板、増幅回路系、電源回路、ヒータ等の時間的制御を行うタイマ、当該Ｘ線ＣＴ装置に過電流が流れた際に通電を切断するマグネットコンダクタ、ヒューズ系、ブレーカ、Ｘ線の線量やその他の制御等を行うための制御基板等である電装部品６３とがそれぞれ集中して収納されている。電装部品６３は、電磁ノイズ対策用の防磁部材により形成されたボックス（防磁ボックス）に収納され一括して設けられている。
【００４１】
このようなＸ線ＣＴ装置は、断層像の撮影時となると寝台上に患者を載置する。寝台は、図３（ａ）を用いて説明したように所定角度分の起倒制御と共に、所定の速度での送り制御が可能となっている。このため、ヘリカルスキャンによる撮影時には、この患者が載置された寝台を所定の速度で送り制御すると共に、回転部５１を回転させながらＸ線の曝射を行う。これにより、螺旋状に連続的にＸ線を曝射することができ、所望のヘリカルピッチでの複数の断層像の撮影を行うことができる。また、患者に対してＸ線を垂直に曝射する垂直スキャンのみならず、Ｘ線を斜めに曝射する斜めスキャンも可能となっており、この場合には、オペレータは、所望の曝射角度（Ｘ線の入射角度）を指定する。これにより、図７（ａ）に示すように固定部５２の前記チルト回転支持部６２を支点として回転部５１が所定角度分チルト駆動される。これにより、被検体に対してＸ線を斜めに曝射することができ、斜めの断層像の撮影を行うことができる。
【００４２】
このようなＸ線ＣＴ装置は、回転部５１及び固定部５２を分離したかたちで架台５０を形成するようになっているため、回転部５１を円形状とすることができ、当該Ｘ線ＣＴ装置自体の小型化を図ることができるうえ、患者に対する威圧感及び病院側の設置スペースに対する不安を無くすことができる等、上述の各実施の形態のＸ線診断装置と同様の効果を得ることができる。
【００４３】
次に、このような当該Ｘ線ＣＴ装置を配線面から見ると、図６（ｂ）に示すように電源線６４は、固定部５２の裏面側を介して配線されるようになっている。この電源線６４は、スタンド６１に設けられた各種ブレーカや電気フィルタ等を介して固定部５２内に設けられた電装部品６３に接続されると共に、中空状の支柱部５９内を介して回転部５１に接続されている。なお、回転部５１には、いわゆるスリップリングを介して、高圧発生部やＸ線検出器等に電源が供給されるようになっている。
【００４４】
コンソールユニット等からの各種の制御信号を伝送する信号線６５は、図６（ｂ）に示すように前記電源線６４と同様に、固定部５２の裏面側を介して配線されるようになっており、電源線６４に併走するかたちで配線されている。この信号線６５は、図１（ａ）に示すように固定部５２内に設けられた前記電装部品６３に接続される。また、この電装部品６３に接続された信号線６５は、Ｄ・Ｄモータ５８を制御する信号線や、寝台、Ｘ線系等を制御する信号線に分けられそれぞれ配線される。なお、Ｘ線検出器で形成された撮影信号は、回転部５１及び固定部５２にそれぞれ設けられた光電装部を介してコンソールユニットに伝送されるようになっている。
【００４５】
これにより、回転部５１及び固定部５２が分離されたかたちで架台５０が形成されているため、電源線６４及び信号線６５を確実に分離することができ、より完全な電磁ノイズ対策を施すことを可能とすることができる。また、電装部品６３等が、固定部５２側に集中して設けられているため、回転部５１のさらなる軽量化及びチルト駆動を行うための部品の小型化を図ることができ、当該Ｘ線ＣＴ装置全体の軽量化及び小型化を図ることができる他、上述の各実施の形態のＸ線ＣＴ装置と同じ効果を得ることができる。
【００４６】
ここで、当該Ｘ線ＣＴ装置は、図７（ａ）に示すように回転部５１の回転部カバー５４の外周部に沿って吸気口７１が、また、回転部カバー５４の上面に相当する部分には排気口となる冷却ファン７３がそれぞれ設けられている。吸気口７１は、図７（ｂ）に示すように回転部材が設けられていない部分に前記外周部の略々全周に渡って設けられており、具体的には、外周部の両端近辺に相当する部分に設けられている。この吸気口７１は、一方の吸気口を介して回転部カバー５４内に流入する空気が、他方の吸気口を介して回転カバー５４内に流入する空気の流れを阻害しないように（空冷却に最適な流量配分となるように）、孔の大きさや位置が計算されて設けられている。
【００４７】
このようなＸ線ＣＴ装置において、吸気口７１を介して取り込まれた空気は、
回転部５１内に設けられたＸ線管、高電圧発生部及び電源回路等の発熱部品を空冷却し、回転部カバー５４の上面に相当する部分に設けられた冷却ファン７３を介して回転部カバー５４外に排気される。
【００４８】
従来のＸ線ＣＴ装置は、箱形形状を有しているため、図１０を用いて説明したように吸気口１０３を架台１００の底面部１００ａに設ける必要があり、このために、架台１００内で排気すべき空気（熱気）が滞流する問題があった。また、例え架台１００の側面部に吸気口を設けたとしても、その箱形形状や内部構造物が障害となり、円滑な吸気を行うことは困難となる。
【００４９】
しかし、当該Ｘ線ＣＴ装置は、回転部５１及び固定部５２を分離したかたちで架台５０を形成しているため、回転部５１と固定部５２との接点は、前記支柱部５９が設けられている箇所のみとなり、回転部５１の回転部カバー５４の外周部は殆ど解放された状態となる。このため、吸気口７１を、回転部カバー５４の外周部の略々全周に渡って設けることができ、回転部カバー５４内に大量の空気を取り込むことができ、冷却効率の向上を図ることができる。
【００５０】
また、吸気口を回転部材が設けられている部分に設けると、回転ベース５６等の回転遠心力により、回転部カバー５４内の空気が該カバー外方向に押し出されるかたちの空気の流れを生じ、吸気口を介して円滑な吸気を行うことは困難となるのであるが、当該Ｘ線ＣＴ装置は、前述のように回転部材が設けられていない部分に前記吸気口７１を設けるようにしたため、回転ベース５６等の回転遠心力に影響されることなく円滑な吸気を可能とすることができる。
【００５１】
従って、当該Ｘ線ＣＴ装置は、効率よく発熱部品を空冷却することができ、当該Ｘ線ＣＴ装置の安全性及び信頼性の向上を図ることができる。
【００５２】
なお、この例においては、回転部カバー５４の外周部の両端に計２本の吸気口７１をそれぞれ設けることとしたが、これは、外周部の一端或いはセンタ等に１本設けるようにしてもよい。また、外周部の両端及びセンタに計３本設けるようにしてもよい。回転部カバー５４に設ける吸気口を１本とした場合は、前述の流量配分の計算を省略することができる。
【００５３】
さらに、吸気口としては、前記回転部カバー５４の外周部の他、図８に吸気口７２として示すように回転部カバー５４の内周部にも設けるようにしてもよい。この場合、吸気口７１及び吸気口７２を介して取り込まれた空気が、回転部５１内に設けられたＸ線管、高電圧発生部及び電源回路等の発熱部品を空冷却し、回転部カバー５４の上面に相当する部分に設けられた冷却ファン７３を介して回転部カバー５４外に排気される。これにより、さらに効率よく発熱部品を空冷却することができ、前述と同様に当該Ｘ線ＣＴ装置の安全性及び信頼性の向上を図ることができる。
【００５４】
次に、当該第３の実施の形態のＸ線ＣＴ装置は、図９（ａ）に示すように架台５０が正面略円形状の回転部５１と、この回転部５１を支持部５９で回転自在に支持する、図９（ａ）に斜線で示すような固定部５２とに分離構成されている。このような架台５０は、例えば角度を付けた斜めスキャン等で撮影を行う際には、図９（ｂ）に示すように前記固定部５２に対して回転部５１のみが独立してチルト駆動される。
【００５５】
架台全体をチルト駆動すると、該架台が手前に突き出すかたちとなるため、寝台に載置された患者の位置決めや、穿刺等の作業に支障をきたすのであるが、当該第３の実施の形態のＸ線ＣＴ装置のように、回転部５１のみをチルト駆動することにより、図９（ｂ）に示すように固定部５２の手前付近を操作者の操作スペースとして確保することができる。このため、寝台９０に載置された患者の位置決めや、穿刺等の作業を容易に行うことができ、これを通じて当該Ｘ線ＣＴ装置の安全性の向上を図ることができる。
【００５６】
なお、上述の各実施の形態の説明は、本発明のほんの一例である。このため、
本発明は各実施の形態に限定されることはなく、本発明に係る技術的思想を逸脱しない範囲であれば、この他、設計等に応じて種々の変更が可能であることは勿論である。
【符号の説明】
【００５７】
１…架台、２…回転部、３…固定部、４…撮影口、５…回転ベース
６…ベアリング、７…固定ベース、８…駆動モータ、９…チルト回転支持部
１０…スタンド、１１…吸気口、１２…冷却ファン、１３…回転ベルト
１４…支柱部、１５…電源線、１６…信号線、１７…チルト回転支持部
２０…寝台、３０…ダイレクト・ドライブモータ（Ｄ・Ｄモータ）
【図１】
0004482056.tif 000002
【図２】
0004482056.tif 000003
【図３】
0004482056.tif 000004
【図４】
0004482056.tif 000005
【図５】
0004482056.tif 000006
【図６】
0004482056.tif 000007
【図７】
0004482056.tif 000008
【図８】
0004482056.tif 000009
【図９】
0004482056.tif 000010
【図１０】
0004482056.tif 000011
【図１１】
0004482056.tif 000012
【図１２】
0004482056.tif 000013